(57)【要約】【課題】複数の通信が重複して起動されるときに、重要度を考慮したい。【解決手段】レンジング処理部１１０は、端末装置から、第１の通信を実行するためのチャネルの割当要求を受けつける。レンジング処理部１１０および割当部１１２は、受けつけた割当要求に応じて、第１の通信を実行するためのチャネルの割当処理を実行する。割当部１１２は、チャネルの割当結果を端末装置へ通知する。なお、割当部１１２は、割当処理の実行中に、第１の通信よりも優先度の高い第２の通信の発生を検出した場合、第１の通信を実行するためのチャネルの割当結果を、第２の通信を実行するためのチャネルの割当結果に変更する。【選択図】図６
2009207000.tif 000002
【特許請求の範囲】
【請求項１】
端末装置から、第１の通信を実行するためのチャネルの割当要求を受けつける受付部と、
前記受付部において受けつけた割当要求に応じて、第１の通信を実行するためのチャネルの割当処理を実行する処理部と、
前記処理部におけるチャネルの割当結果を前記端末装置へ通知する通知部と、
前記通知部において通知したチャネルにおいて、前記端末装置との第１の通信を実行する通信部とを備え、
前記通知部は、前記処理部が、割当処理の実行中に、第１の通信よりも優先度の高い第２の通信の発生を検出した場合、第１の通信を実行するためのチャネルの割当結果を、第２の通信を実行するためのチャネルの割当結果に変更し、
前記通信部は、前記通知部において通知したチャネルにおいて、前記端末装置との第２の通信を実行することを特徴とする基地局装置。
【請求項２】
前記通知部は、第１の通信を実行するためのチャネルの割当結果を、第２の通信を実行するためのチャネルの割当結果に変更した場合、変更した旨を割当結果とともに前記端末装置へ通知することを特徴とする請求項１に記載の基地局装置。
【請求項３】
前記処理部は、前記通知部が、第２の通信を実行するためのチャネルの割当結果を前記端末装置へ通知した後、第１の通信を実行するためのチャネルの割当処理を再度実行し、
前記通知部は、第１の通信を実行するためのチャネルの割当結果を前記端末装置へ通知し、
前記通信部は、前記端末装置との第１の通信を実行することを特徴とする請求項１または２に記載の基地局装置。
【請求項４】
基地局装置へ、第１の通信を実行するためのチャネルの割当を要求する要求部と、
前記要求部における要求に応じて、前記基地局装置において実行されたチャネルの割当結果であって、かつ第１の通信を実行するためのチャネルの割当結果を前記基地局装置から受けつける受付部と、
前記受付部において受けつけたチャネルにおいて、前記基地局装置との第１の通信を実行する通信部とを備え、
前記受付部は、前記基地局装置が、第１の通信を実行するためのチャネルの割当処理の実行中に、第１の通信よりも優先度の高い第２の通信の発生を検出した場合、前記基地局装置から、第１の通信を実行するためのチャネルの割当結果の代わりに、第２の通信を実行するためのチャネルの割当結果を受けつけ、
前記通信部は、前記受付部において受けつけたチャネルにおいて、前記基地局装置との第２の通信を実行することを特徴とする端末装置。
【請求項５】
端末装置から、第１の通信を実行するためのチャネルの割当要求を受けつけるステップと、
受けつけた割当要求に応じて、第１の通信を実行するためのチャネルの割当処理を実行するステップと、
チャネルの割当結果を前記端末装置へ通知するステップと、
通知したチャネルにおいて、前記端末装置との第１の通信を実行するステップとを備え、
前記通知するステップは、割当処理の実行中に、第１の通信よりも優先度の高い第２の通信の発生を検出した場合、第１の通信を実行するためのチャネルの割当結果を、第２の通信を実行するためのチャネルの割当結果に変更し、
前記実行するステップは、通知したチャネルにおいて、前記端末装置との第２の通信を実行することを特徴とする通信方法。
【請求項６】
基地局装置へ、第１の通信を実行するためのチャネルの割当を要求するステップと、
要求に応じて、前記基地局装置において実行されたチャネルの割当結果であって、かつ第１の通信を実行するためのチャネルの割当結果を前記基地局装置から受けつけるステップと、
受けつけたチャネルにおいて、前記基地局装置との第１の通信を実行するステップとを備え、
前記受けつけるステップは、前記基地局装置が、第１の通信を実行するためのチャネルの割当処理の実行中に、第１の通信よりも優先度の高い第２の通信の発生を検出した場合、前記基地局装置から、第１の通信を実行するためのチャネルの割当結果の代わりに、第２の通信を実行するためのチャネルの割当結果を受けつけ、
前記実行するステップは、受けつけたチャネルにおいて、前記基地局装置との第２の通信を実行することを特徴とする通信方法。
【発明の詳細な説明】
【技術分野】
【０００１】
本発明は、無線通信技術に関し、特に通信を実行するためのチャネルを割り当てる通信方法ならびにそれを利用した基地局装置および端末装置に関する。
【背景技術】
【０００２】
第二世代コードレス電話システムのような移動体通信システムでは、論理制御チャネル（以下、「ＬＣＣＨ」という）が規定されている。基地局装置（ＣＳ：Ｃｅｌｌ  Ｓｔａｔｉｏｎ）は、通信の単位となるタイムスロットを端末装置（ＰＳ：Ｐｅｒｓｏｎａｌ  Ｓｔａｔｉｏｎ）に割り当てることによって、通信を実行する。従来のＬＣＣＨは、群分け数が８の場合、報知用チャネル（以下、「ＢＣＣＨ」という）、８つの着信情報チャネル（以下、「ＰＣＨ」という）、３つのチャネル割当制御チャネル（以下、「ＳＣＣＨ」という）の合計１２のチャネルから構成される。基地局装置は、それぞれのチャネルを２０フレーム間隔で間欠的に送信している（例えば、非特許文献１参照）。また、ひとつのフレームは、８つのタイムスロットにて構成されている。
【非特許文献１】ＡＲＩＢ  ＳＴＡＮＤＡＲＤ  ＲＣＲ  ＳＴＤ−２８−１「第二世代コードレス電話システム標準規格」，４．１版，（１／２分冊）
【発明の開示】
【発明が解決しようとする課題】
【０００３】
上記のような移動体通信システムにおいて、基地局装置の通信容量を増加させるために、基地局装置は、直交周波数分割多重（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を実行する。端末装置に対する着信がある場合、基地局装置は、着信がある端末装置を識別するための番号（以下、「端末番号」という）を含めながらＰＣＨを送信する。端末装置は、ＰＣＨを受信すると、自らの端末番号がＰＣＨに含まれているかを確認する。含まれている場合、端末装置は、基地局装置に対して、初期レンジングの要求を送信する。このような、ＰＣＨ、初期レンジングのための要求信号、ＢＣＣＨ等は、データと異なり、通信を確立するための制御情報に相当し、制御信号と総称される。端末装置は、基地局装置との通信を確立するために、制御信号を受信する。
【０００４】
なお、通信を確立するまでの手順は、発信および着信にかかわらず同様である。また、発信や着信のうち、いずれかが重要であることがある。例えば、着信が送信よりも重要である場合である。しかしながら、基地局装置は、通信の重要度に関係なく、先になされた通信を実行する。その場合、端末装置に対する着信が基地局装置に到達したとき、基地局装置が、端末装置からの送信を処理していれば、基地局装置は、着信を無視して送信を処理する。その結果、重要な通信が実行されなくなる。
【０００５】
本発明はこのような状況に鑑みてなされたものであり、複数の通信が重複して起動されるときに、重要度を考慮する技術を提供することを目的とする。
【課題を解決するための手段】
【０００６】
上記課題を解決するために、本発明のある態様の基地局装置は、端末装置から、第１の通信を実行するためのチャネルの割当要求を受けつける受付部と、受付部において受けつけた割当要求に応じて、第１の通信を実行するためのチャネルの割当処理を実行する処理部と、処理部におけるチャネルの割当結果を端末装置へ通知する通知部と、通知部において通知したチャネルにおいて、端末装置との第１の通信を実行する通信部とを備える。通知部は、処理部が、割当処理の実行中に、第１の通信よりも優先度の高い第２の通信の発生を検出した場合、第１の通信を実行するためのチャネルの割当結果を、第２の通信を実行するためのチャネルの割当結果に変更し、通信部は、通知部において通知したチャネルにおいて、端末装置との第２の通信を実行する。
【０００７】
「チャネル」とは、ふたつの無線装置間で通信を行うために設定される無線通信路のことである。例えば、チャネルは、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＯＦＤＭＡの場合に特定の周波数帯域に相当する。また、チャネルは、ＴＤＭＡ（Ｔｉｍｅ  Ｄｉｖｉｓｉｏｎ  Ｍｕｌｔｉｐｌｅ  Ａｃｃｅｓｓ）の場合に特定のタイムスロットまたはスロットに相当する。さらに、チャネルは、ＣＤＭＡ（Ｃｏｄｅ  Ｄｉｖｉｓｉｏｎ  Ｍｕｌｔｉｐｌｅ  Ａｃｃｅｓｓ）の場合に特定の符号系列に相当する。しかしながら、ここでは、チャネルとしてこれらを区別しないものとする。
【０００８】
本発明の別の態様は、端末装置である。この装置は、基地局装置へ、第１の通信を実行するためのチャネルの割当を要求する要求部と、要求部における要求に応じて、基地局装置において実行されたチャネルの割当結果であって、かつ第１の通信を実行するためのチャネルの割当結果を基地局装置から受けつける受付部と、受付部において受けつけたチャネルにおいて、基地局装置との第１の通信を実行する通信部とを備える。受付部は、基地局装置が、第１の通信を実行するためのチャネルの割当処理の実行中に、第１の通信よりも優先度の高い第２の通信の発生を検出した場合、基地局装置から、第１の通信を実行するためのチャネルの割当結果の代わりに、第２の通信を実行するためのチャネルの割当結果を受けつけ、通信部は、受付部において受けつけたチャネルにおいて、基地局装置との第２の通信を実行する。
【０００９】
本発明のさらに別の態様は、通信方法である。この方法は、端末装置から、第１の通信を実行するためのチャネルの割当要求を受けつけるステップと、受けつけた割当要求に応じて、第１の通信を実行するためのチャネルの割当処理を実行するステップと、チャネルの割当結果を端末装置へ通知するステップと、通知したチャネルにおいて、端末装置との第１の通信を実行するステップとを備える。通知するステップは、割当処理の実行中に、第１の通信よりも優先度の高い第２の通信の発生を検出した場合、第１の通信を実行するためのチャネルの割当結果を、第２の通信を実行するためのチャネルの割当結果に変更し、実行するステップは、通知したチャネルにおいて、端末装置との第２の通信を実行する。
【００１０】
本発明のさらに別の態様もまた、通信方法である。この方法は、基地局装置へ、第１の通信を実行するためのチャネルの割当を要求するステップと、要求に応じて、基地局装置において実行されたチャネルの割当結果であって、かつ第１の通信を実行するためのチャネルの割当結果を基地局装置から受けつけるステップと、受けつけたチャネルにおいて、基地局装置との第１の通信を実行するステップとを備える。受けつけるステップは、基地局装置が、第１の通信を実行するためのチャネルの割当処理の実行中に、第１の通信よりも優先度の高い第２の通信の発生を検出した場合、基地局装置から、第１の通信を実行するためのチャネルの割当結果の代わりに、第２の通信を実行するためのチャネルの割当結果を受けつけ、実行するステップは、受けつけたチャネルにおいて、基地局装置との第２の通信を実行する。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、複数の通信が重複して起動されるときに、重要度を考慮できる。
【発明を実施するための最良の形態】
【００１３】
本発明を具体的に説明する前に、概要を述べる。本発明の実施例は、制御局、基地局装置、端末装置によって構成される通信システムに関する。通信システムにおいて、各フレームは、複数のタイムスロットが時間分割多重されることによって形成され、各タイムスロットは、複数のサブチャネルが周波数分割多重されることによって形成されている。また、各サブチャネルは、マルチキャリア信号によって形成されている。ここで、マルチキャリア信号としてＯＦＤＭ信号が使用されており、周波数分割多重としてＯＦＤＭＡが使用されている。なお、以下では、サブチャネルおよびタイムスロットによって特定されるチャネルを「サブチャネルブロック」あるいは「バースト」と呼び、「サブチャネルブロック」あるいは「バースト」に配置された信号を「バースト信号」と呼ぶ。制御信号が配置されるサブチャネル（以下、「制御チャネル」という）と、データ信号が配置されるサブチャネルとは、別々に規定されており、例えば、制御チャネルは、通信システムに対して規定されている周波数帯のうちの最低周波数のサブチャネルに配置される。
【００１４】
制御チャネルにおいて、複数の基地局装置に対する制御信号が時間分割多重されている。端末装置は、制御チャネルを探索することによって、所望の基地局装置からの制御信号を受信する。その後、基地局装置と端末装置との間において、割当処理が実行され、基地局装置は、サブチャネルブロックを基地局装置に割り当てる。また、当該サブチャネルブロックを使用しながら、基地局装置と端末装置との通信が実行される。ここで、ひとつの端末装置において複数種類の通信を実行したい場合がある。例えば、電子メールの送信と、電話通信の着信である。このような場合に、基地局装置は、通信ごとに異なったサブチャネルブロックを端末装置に割り当てる。そのため、電子メールの送信のための割当処理がなされているときに、端末装置への着信が基地局装置に到達したとき、基地局装置は、電話通信の着信のための割当処理を新たに実行する。ふたつの割当処理が同時に実行されると、端末装置の処理能力によっては終了までの期間が長くなることもある。その結果、電話通信の着信の方が、電子メールの送信よりも優先順位が高い場合であっても、電話通信の着信までの期間が長くなる。これに対応するために、本実施例に係る通信システムは、次の処理を実行する。
【００１５】
本発明の実施例に係る通信システムでは、複数種類の通信のそれぞれに対して、優先順位が付与されている。例えば、前述の電話通信の着信には、電子メールの送信よりも高い優先順位が付与されている。基地局装置は、所定の通信（以下、「第１通信」という）のための割当処理を実行しているときに別の通信（以下、「第２通信」という）が発生した場合、両者の優先順位を比較する。第２通信の方が第１通信よりも優先順位が高ければ、基地局装置は、第１通信のための割当処理が終了したときに、その割当結果を第２通信にすりかえる。つまり、第１通信のための割当結果が、第２通信のための割当結果に変えられる。その結果、基地局装置と端末装置は、第１通信のための割当処理を開始したにもかかわらず、第２通信を実行する。ここで、第２通信が電話通信の着信に相当し、第１通信が電子メールの送信に相当する。
【００１６】
図１は、本発明の実施例に係る通信システム２０の構成を示す。通信システム２０は、基地局装置１と総称される第１基地局装置１ａ、第２基地局装置１ｂ、第Ｎ基地局装置１ｎ、端末装置２、ネットワーク５０、制御局５２を含む。
【００１７】
端末装置２は、所定の無線方式に対応した無線装置である。無線方式として、例えば、ＯＦＤＭＡが想定される。ＯＦＤＭＡでは、周波数軸上に複数のサブチャネルが多重化されており、各サブチャネルは、ＯＦＤＭ信号によって構成される。ここで、端末装置２は、通話機能を有するとともに、データ通信の機能も有する。データ通信とは、例えば、電子メールの送受信やワールド・ワイド・ウエブ（ＷＷＷ）の閲覧の実行であり、これらの処理が端末装置２単独でなされてもよいし、図示しないＰＣとの接続にてなされてもよい。
【００１８】
基地局装置１は、一端に、無線通信にて端末装置２と接続し、他端に、有線通信にてネットワーク５０と接続する。また、基地局装置１は、ネットワーク５０を介して制御局５２に接続する。基地局装置１は、前述のごとく、複数のサブチャネルと複数のタイムスロットを規定しており、その組合せをバーストあるいはサブチャネルブロックとして端末装置２に割り当てる。また、基地局装置１は、下り回線のバーストと上り回線のバーストとをひとつの組合せとして端末装置２に割り当てる。
【００１９】
例えば、端末装置２は、基地局装置１に対して、バーストの割当要求を送信し、基地局装置１は、端末装置２にバーストを割り当てた後、その結果を端末装置２へ通知する。ここで、ＯＦＤＭＡ方式が採用されているので、端末装置２と基地局装置１は、バースト割当要求の送信の前後に、レンジング処理を実行してもよい。なお、レンジング処理として公知の技術が使用されればよいので、ここでは説明を省略する。端末装置２において複数種類の通信が同時に実行される場合、例えば、電子メールの送信と通話機能とが実行される場合、基地局装置１は、端末装置２に対して、ひとつのフレームあたりに複数のバーストを割り当てる。つまり、基地局装置１は、端末装置２に対して、通信ごとに別のバーストを割り当てる。
【００２０】
制御局５２は、ネットワーク５０を介して、基地局装置１と接続する。制御局５２は、基地局装置１を介して、端末装置２に対する位置登録を実行する。位置登録とは、端末装置２がどのページングエリアに含まれているかを管理することであるが、位置登録として公知の技術が使用されればよいので、ここでは説明を省略する。また、制御局５２は、図示しない交換機等より、端末装置２に対する着信通知を受けつける。制御局５２は、位置登録の結果をもとに、着信通知に対応する端末装置２がどのページングエリアに含まれるかを特定する。さらに、制御局５２は、ページングエリアに属する基地局装置１に対して、着信通知を送信する。
【００２１】
ネットワーク５０は、制御局５２と接続するとともに、基地局装置１とも接続する。例えば、ネットワーク５０は、ＩＰ（Ｉｎｔｅｒｎｅｔ  Ｐｒｏｔｏｃｏｌ）ネットワークにて構成されるが、それに限定されるものではない。ネットワーク１６は、図示しない通信装置から受けつけたデータを基地局装置１へ送信するとともに、基地局装置１から受けつけたデータを通信装置へ送信する。
【００２２】
図２は、通信システム２０におけるＴＤＭＡフレームの構成を示す。通信システム２０では、第二世代コードレス電話システムと同様、上り通信について４つのタイムスロット、下り通信について４つのタイムスロットによってフレームが構成される。さらにフレームが連続して配置されている。本実施例において、上り通信でのタイムスロットの割当と下り通信でのタイムスロットの割当は同一であるので、以下においては、説明の便宜上、下り通信のみを説明する場合もある。
【００２３】
図３は、通信システム２０におけるＯＦＤＭＡサブチャネルの構成を示す。基地局装置１は、これまで説明したＴＤＭＡに加えて、さらに図３に示すように、ＯＦＤＭＡも適用する。その結果、ひとつのタイムスロットに複数の端末装置が割り当てられる。図３は横軸の方向に時間軸上のタイムスロットの配置を示し、縦軸の方向に周波数軸上のサブチャネルの配置を示す。すなわち、横軸の多重化がＴＤＭＡに相当し、縦軸の多重化がＯＦＤＭＡに相当する。ここでは、ひとつのフレームにおける第１タイムスロット（図中、「Ｔ１」と表示）から第４タイムスロット（図中、「Ｔ４」と表示）が含まれている。例えば、図３のＴ１からＴ４は、図２の第５タイムスロットから第８タイムスロットにそれぞれ相当する。
【００２４】
また、各タイムスロットには、第１サブチャネル（図中、「ＳＣ１」と表示）から第１６サブチャネル（図中、「ＳＣ１６」と表示）が含まれている。図３では、第１サブチャネルが、制御チャネルとして確保される。図中では、第１基地局装置１ａ（図中「ＣＳ１」と表示）が、第１タイムスロットの第１サブチャネルに制御信号を割り当てている。つまり、ＳＣ１だけに着目したときのフレームの構成、および複数のフレームの集合が、ＬＣＣＨに相当する。また、図３では第１タイムスロットの第２サブチャネルに第１端末装置２ａが、第２タイムスロットの第２サブチャネルから第４サブチャネルに第２端末装置２ｂが割り当てられる。また、第３タイムスロットの第１６サブチャネルに第３端末装置２ｃが、第４タイムスロットの第１３サブチャネルから第１５サブチャネルに第４端末装置２ｄが割り当てられる。
【００２５】
図４は、通信システム２０におけるサブチャネルブロックの構成を示す。なお、サブチャネルブロックは、前述のごとく、バーストに相当する。図４の横方向は、時間軸であり、縦方向は、周波数軸を示している。「１」から「２９」の番号は、サブキャリアの番号に相当する。このようにサブチャネルは、ＯＦＤＭのマルチキャリア信号によって構成されている。図中、「ＴＳ」は、トレーニングシンボルに相当し、図示しない同期検出用のシンボル「ＳＴＳ」、伝送路特性の推定用シンボル「ＬＴＳ」等の既知信号を含む。「ＧＳ」は、ガードシンボルに相当し、ここに実効的な信号は配置されない。「ＰＳ」はパイロットシンボルに相当し、既知信号によって構成される。「ＳＳ」はシグナルシンボルに相当し、制御用の信号が配置される。「ＤＳ」はデータシンボルに相当し、送信すべきデータである。「ＧＴ」はガードタイムに相当し、実効的な信号は配置されない。
【００２６】
図５は、通信システム２０における論理制御チャネルの構成を示す。論理制御チャネルは、４つのＢＣＣＨ、１２のＩＲＣＨ、８つのＰＣＨの合計２４のチャネルにより構成される。ＢＣＣＨ、ＩＲＣＨ、ＰＣＨのそれぞれは、８つのＴＤＭＡフレーム（以下、「フレーム」という）で構成される。なお、ひとつのフレームは、図２のように構成される。図５では、便宜上、ＰＣＨ、ＢＣＣＨ、ＩＲＣＨが配置されたフレームも「ＰＣＨ」、「ＢＣＣＨ」、「ＩＲＣＨ」と示される。また、前述のごとく、フレームは複数のタイムスロットに分割されるが、ここでは、タイムスロットの単位、フレームの単位、８フレームの単位のそれぞれに対して区別せずに、「ＰＣＨ」、「ＢＣＣＨ」、「ＩＲＣＨ」という用語を使用する。
【００２７】
図中、「ＩＲＣＨ」はチャネル割当時に用いる初期レンジング用チャネルである。さらに、詳しく説明すると、「ＩＲＣＨ」の中には、「ＴＣＣＨ」と「ＩＲＣＨ」とが含まれており、「ＴＣＣＨ」は、端末装置２から基地局装置１へ送信される初期レンジングの要求に相当する。また、「ＩＲＣＨ」は、当該初期レンジングの要求に対する応答に相当する。そのため、「ＴＣＣＨ」は、上り回線の信号であり、「ＩＲＣＨ」は、下り回線の信号である（以下、ＴＣＣＨとＩＲＣＨとの組合せもＩＲＣＨというが、ＩＲＣＨ単独の場合と区別せずに使用する）。なお、端末装置からのＴＣＣＨを受信した基地局装置は、レンジングの処理を実行するが、レンジングの処理は公知の技術でよいので、ここでは、説明を省略する。
【００２８】
また、図の下段には、各フレームの構成を示しているが、これは図２と同様に示される。なお、これは、図４のＳＣ１に対するフレーム構成に相当する。図１の第１基地局装置１ａは、フレームを構成するタイムスロットのうち、ＬＣＣＨを割り当てたタイムスロット（図中、「ＣＳ１」と表示）で、ＢＣＣＨ、ＩＲＣＨ、ＰＣＨを８フレーム間隔で間欠的に送信する。つまり、第１基地局装置１ａは、ＢＣＣＨを構成する８つのフレームのうち、第１フレームの第５タイムスロットを使用し、ＩＲＣＨを構成する８つのフレームのうち、第１フレームの第５タイムスロットを使用する。
【００２９】
さらに、第１基地局装置１ａは、ＰＣＨを構成する８つのフレームのうち、第１フレームの第５タイムスロットを使用する。図１に示された第２基地局装置１ｂは、第１基地局装置１ａが送信した次のフレーム（図中、第２フレーム）のタイムスロットのうち、第１基地局装置１ａが利用しているタイムスロットとフレーム先頭からの位置が同じタイムスロット（図中、「ＣＳ２」と表示）で、ＢＣＣＨ、ＩＲＣＨ、ＰＣＨを８フレーム間隔で間欠的に送信する。このような構成により、フレームを構成する下り４つのタイムスロットごとに、８つの基地局装置、最大３２基地局装置まで多重することができる。
【００３０】
図６は、基地局装置１の構成を示す。基地局装置１は、アンテナ１００、無線部１０１、送信部１０２、変調部１０３、受信部１０４、復調部１０５、ＩＦ部１０６、制御部１０７を含み、制御部１０７は、レンジング処理部１１０、割当部１１２、検出部１２０を含む。
【００３１】
アンテナ１００は、無線周波数の信号を送受信する。ここで、無線周波数の信号は、図２から図４に対応する。無線部１０１は、受信処理として、アンテナ１００で受信した無線周波数の信号に対して周波数変換および直交検波を実行し、ベースバンドの信号を生成する。さらに、無線部１０１は、ベースバンドの信号を受信部１０４へ出力する。一般的に、ベースバンドの信号は、同相成分と直交成分によって形成されるので、ふたつの信号線によって伝送されるべきであるが、ここでは、図を明瞭にするためにひとつの信号線だけを示すものとする。なお、無線部１０１には、ＡＧＣも含まれる。
【００３２】
また、無線部１０１は、送信処理として、送信部１０２からのベースバンド信号に対して、直交変調および周波数変換を実行し、無線周波数の信号を生成する。さらに、無線部１０１は、無線周波数の信号をアンテナ１００へ出力する。なお、無線部１０１は、受信した信号と同一の無線周波数帯を使用しながら、信号を送信する。つまり、図２のごとく、ＴＤＤが使用されているものとする。また、無線部１０１には、ＰＡ（Ｐｏｗｅｒ  Ａｍｐｌｉｆｉｅｒ）も含まれる。
【００３３】
送信部１０２は、変調部１０３から送られてきた周波数領域信号を時間領域信号に変換し、無線部１０１に出力する。なお、周波数領域信号から時間領域信号への変換にはＩＦＦＴ（Ｉｎｖｅｒｓｅｄ  Ｆａｓｔ  Ｆｏｕｒｉｅｒ  Ｔｒａｎｓｆｏｒｍ）を利用する。変調部１０３は、ＩＦ部１０６からの入力に対して変調を行い、送信部１０２に出力する。変調方式としては、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭ、２５６ＱＡＭなどが使用される。また、変調部１０３は、制御部１０７から下り回線のバーストに関する指示を受けつけ、変調したデータをバーストに割り当てる。その結果、周波数領域のマルチキャリア信号、特にＯＦＤＭ信号が生成される。なお、ＯＦＤＭ信号には、複数のサブチャネルが含まれてもよい。
【００３４】
受信部１０４は、無線部１０１から送られてきた時間領域信号を周波数領域信号に変換し、復調部１０５に出力する。なお、時間領域信号から周波数領域信号への変換にはＦＦＴ（Ｆａｓｔ  Ｆｏｕｒｉｅｒ  Ｔｒａｎｓｆｏｒｍ）を利用する。復調部１０５は、受信部１０４からの入力を復調し、その結果をＩＦ部１０６に出力する。復調は、変調に対応するものとする。ＩＦ部１０６は、図示していないネットワーク５０に接続され、受信処理として、復調部１０５において復調した信号を図示していないネットワーク５０に出力する。また、ＩＦ部１０６は、送信処理として、ネットワーク５０からデータを入力し、これを変調部１０３に出力する。ＩＦ部１０６は、図示しないネットワーク５０を介して図示しない制御局５２から、着信通知を受けつける。例えば、ＩＦ部１０６は、受けつけた着信通知を制御部１０７に出力する。
【００３５】
制御部１０７は、基地局装置１全体のタイミングを制御する。また、制御部１０７は、図５に示すＬＣＣＨを生成し、端末装置２に間欠送信する。制御部１０７は、変調部１０３、送信部１０２、無線部１０１、アンテナ１００からＢＣＣＨ等のＬＣＣＨを順次送信する際のタイミングを制御する。制御部１０７は、予め規定されたサブチャネル、つまり制御チャネルに、周期的に制御信号であるＬＣＣＨを割り当てる。つまり、制御部１０７は、時間分割多重がなされた複数のタイムスロットの中から、タイムスロットを周期的に選択し、それらにＬＣＣＨを割り当てる。ここで、制御部１０７は、ＬＣＣＨとして、ＢＣＣＨ、ＩＲＣＨ、ＰＣＨ、ＩＲＣＨ、ＰＣＨ、ＩＲＣＨの順に使用する。制御部１０７は、変調部１０３、送信部１０２、無線部１０１に、割り当てたＬＣＣＨを報知させる。
【００３６】
レンジング処理部１１０は、ＩＦ部１０６において受けつけた着信通知をもとに、着信信号としてのＰＣＨを生成する。レンジング処理部１１０は、変調部１０３、送信部１０２、無線部１０１、アンテナ１００を介して、ＰＣＨを報知する。図７は、基地局装置１から送信されるＢＣＣＨのメッセージフォーマットを示す。ＢＣＣＨは、メッセージの種別を判別するメッセージ識別子と、論理制御チャネルの構造を規定するパラメータ、例えば、インターバル値、着信群分け、バッテリーセービング周期最大値などを表すＬＣＣＨ構造情報とを含む。図８は、基地局装置１から送信されるＰＣＨのメッセージフォーマットを示す。ＰＣＨは、メッセージの種別を判別するメッセージ識別子と、着信があった端末装置の番号とを含む。また、ＰＣＨには、ＴＣＣＨ  ＩＤが含まれる。端末装置２は、ＰＣＨにより着信があった旨の通知を受理すると、そのＰＣＨを送信した基地局装置１に対して初期レンジングを要求する。図６に戻る。
【００３７】
レンジング処理部１１０は、端末装置２からのＴＣＣＨを受信すると、公知の技術によって、端末装置２の送信電力や送信タイミングを調節する。なお、端末装置２は、基地局装置１からの着信を受けつけたとき、自ら発信を要求するときに、ＴＣＣＨを送信する。また、レンジング処理部１１０は、調節の結果が含まれたレンジング応答、例えば、ＩＲＣＨを送信するようなレンジング処理を複数回数繰り返し実行する。このような処理を詳しく説明するために、ここでは、図９（ａ）−（ｂ）を使用する。図９（ａ）−（ｂ）は、基地局装置１による段階的な初期レンジングのタイムチャートを示す。ここで、説明の便宜上、フレームに対して前から順に番号を付与しており、フレーム１からフレーム９が「Ｆ１」から「Ｆ９」と示される。また、図面を明瞭にするために、図２に示された各フレームのうち、上り回線と下り回線のそれぞれの最初のタイムスロットのみが示されている。
【００３８】
レンジング処理部１１０は、図３のＳＣ１において、ＴＣＣＨ初回に受信すべきタイミングおよびＩＲＣＨに送信すべきタイミングとを規定する。図９（ａ）は、ＳＣ１での動作を示す。端末装置２は、図示しないＢＣＣＨを受信することによって、接続先となる基地局装置１を特定する。端末装置２は、Ｆ１においてＴＣＣＨを送信する。なお、端末装置２がＰＣＨを受信することもあるが、その場合、端末装置２は、ＰＣＨを受信した後に、ＢＣＣＨを受信する。
【００３９】
ＴＣＣＨは、波形パターンとして複数種類規定されている。つまり、複数のサブキャリアの中から、一部が選択されることによって波形パターンが規定され、選択されるサブキャリアが変わることによって、複数種類の波形パターンが規定される。そのため、レンジング処理部１１０は、複数の端末装置２から同時にＴＣＣＨを受信する場合であっても、それらの間の波形パターンが異なっていれば、複数の端末装置２を認識できる。つまり、ＴＣＣＨの衝突確率が低減される。ここで、図示しない端末装置２は、複数種類規定された波形パターンのうち、いずれかをランダムに選択する。
【００４０】
図１０は、基地局装置１から送信されるＩＲＣＨのメッセージフォーマットを示す。ＩＲＣＨは、メッセージの種別を判別するメッセージ識別子と、初期レンジング要求を行った送信元を識別するための情報と、送信元の識別情報を初回の初期レンジング要求と異なった値に変更するよう指示する送信元識別情報変更指示と、２回目のＴＣＣＨを送信すべきデータ転送用チャネル（以下、ＴＣＨ）を指定する情報（スロット番号およびサブチャネル番号）とを含む。ここで、ＴＣＨは、図３のＳＣ１以外のサブチャネルに割り当てられる。また、後段では、通信に使用する通信チャネルもＴＣＨと示すが、これらを区別せずに使用する。送信元識別情報は、複数の端末装置２から同時に初期レンジング要求があった場合でも、基地局装置１が送信元識別情報に所定の演算を施すことで、これら複数の端末装置２を識別できるよう、予め規定された値である。図９（ｂ）に戻る。
【００４１】
レンジング処理部１１０は、端末装置２からのＴＣＣＨを２回目以降に受信すべきタイミングを前回のレンジング応答、例えば、ＩＲＣＨにて規定する。また、レンジング処理部１１０は、各基地局装置１に対してＴＣＨとが適応的に割り当てられる周波数帯、例えば図３のＳＣ３からＳＣ１６において、ＴＣＣＨを２回目以降に受信すべきタイミングおよびレンジング応答を２回目以降に送信すべきタイミングとを規定する。図９（ｂ）は、ＩＲＣＨによって指定されたサブチャネルでのタイムチャートに相当し、レンジング処理部１１０は、Ｆ３においてＴＣＣＨを受信し、レンジング応答としてＲＣＨを送信する。
【００４２】
図１１は、基地局装置１から送信されるＲＣＨのメッセージフォーマットを示す。ＲＣＨは、メッセージの種別を判別するメッセージ識別子と、同期を合わせるための制御情報（タイミングアライメント制御と送信出力制御）と、無線リソース割当要求の開始時期を示すＳＣＣＨの送受信タイミングとを含む。端末装置２は、タイミングアライメント制御により時間のずれを、送信出力制御により送信電力を補正することにより、基地局装置１と同期を確立した後、無線リソース割当を要求する。図９（ｂ）に戻る。
【００４３】
図９（ｂ）に示されたように、ＲＣＨにおいてＦ５およびＦ６でのＳＣＣＨが指定されたとする。図６の割当部１１２は、レンジング処理部１１０におけるレンジング処理の終了後、図示しない端末装置２からのＳＣＣＨを受信すると、当該端末装置２に対して通信チャネルＴＣＨを割り当てる。割当部１１２は、図９（ｂ）のＦ５において、割当の結果をＳＣＣＨに含めて送信する。このように割当部１１２は、レンジング処理部１１０においてＢＣＣＨ、ＰＣＨ等を配置している周波数帯とは異なった周波数帯にて、ＩＲＣＨを送信した端末装置２に対するチャネル割当の処理を実行する。
【００４４】
図１２は、基地局装置１から送信されるＳＣＣＨのメッセージフォーマットを示す。ＳＣＣＨは、メッセージの種別を判別するメッセージ識別子と、端末装置２に割り当てたＴＣＨを指定する情報（スロット番号およびサブチャネル番号）とを含む。このように、初期レンジング要求を段階的に処理することにし、初回の初期レンジング要求の応答までＬＣＣＨで応答し、それ以降の２回目の初期レンジング要求および無線リソース割当は、ＴＣＨで応答する。これにより、一度に複数の端末装置にチャネル割当を実施することができ、送信元識別情報を多数用意することがなくても、端末装置を的確に分離することができる。図９（ｂ）に戻る。図９（ｂ）に示されたように、ＳＣＣＨにおいてＦ８以降のＴＣＨが指定されたとする。無線部１０１、送信部１０２、変調部１０３、受信部１０４、復調部１０５、ＩＦ部１０６は、割当部１１２におけるＴＣＨの割当後、端末装置２と通信する。
【００４５】
以上のように説明したレンジング処理部１１０および割当部１１２による割当処理は、次のようにまとめられる。レンジング処理部１１０は、端末装置２から、通信（以下、「第１の通信」という）を実行するためのチャネルの割当要求、つまり前述のＴＣＣＨを受けつける。レンジング処理部１１０は、受けつけた割当要求に応じて、第１の通信を実行するためのチャネルの割当処理を実行する。つまり、レンジング処理部１１０および割当部１１２は、図９（ａ）−（ｂ）のごとく、ＩＲＣＨ、ＳＣＣＨ等を使用することによって、端末装置２との間で所望の情報を交換する。割当部１１２は、第１の通信のための割当処理を完了すると、つまり第１の通信に使用すべきＴＣＨの割当を完了すると、ＴＣＨの割当結果を端末装置２へ通知する。その後、無線部１０１、送信部１０２、変調部１０３、受信部１０４、復調部１０５、ＩＦ部１０６は、端末装置２との第１の通信を実行する。
【００４６】
第１の通信は、例えば、電子メールの送信や受信に相当する。つまり、前述の割当処理は、電子メールの送信や受信を実行する際にＴＣＨを割り当てる処理といえる。以下では、このような割当処理が実行されているときに、第２の通信の発生が検出した場合を説明する。ここで、第２の通信は、例えば、電話通信の着信に相当する。また、通信システム２０において、第２の通信の優先度は、第１の通信の優先度よりも高いと規定されている。検出部１２０は、レンジング処理部１１０および割当部１１２が、第１の通信のための割当処理の実行中に、第２の通信の発生を検出する。具体的には、検出部１２０は、ＩＦ部１０６を介して、図示しない制御局５２からの着信通知を受け、予め規定した優先度に関するテーブルをもとに、着信通知に対する優先度を導出する。また、検出部１２０は、レンジング処理部１１０および割当部１１２においてなされている割当処理の優先度を取得する。検出部１２０は、両者の優先度を比較して、導出した優先度の方が取得した優先度よりも高ければ、第２の通信の発生と結論づける。検出部１２０は、受けつけた着信通知を割当部１１２に出力する。
【００４７】
割当部１１２は、検出部１２０からの着信通知を受けつける。受けつけた後であっても、レンジング処理部１１０および割当部１１２は、前述の割当処理を続行する。つまり、第１の通信を実行するための割当処理が継続される。割当部１１２は、割当結果が終了したとき、第１の通信を実行するためのチャネルの割当結果を、第２の通信を実行するためのチャネルの割当結果に変更する。つまり、第１通信のための割当結果が、第２通信のための割当結果にすり変えられる。さらに、割当部１１２は、第１の通信を実行するためのチャネルの割当結果を、第２の通信を実行するためのチャネルの割当結果に変更した場合、変更した旨を割当結果とともに端末装置２へ通知する。無線部１０１、送信部１０２、変調部１０３、受信部１０４、復調部１０５、ＩＦ部１０６は、通知したＴＣＨにおいて、端末装置２との第２の通信を実行する。その結果、基地局装置１と端末装置２は、第１通信のための割当処理を開始したにもかかわらず、第２通信を実行する。
【００４８】
以上の処理の結果、第１の通信にとっては、割当処理が完了したにもかかわらず、ＴＣＨの割当が実際になされていない状態になる。そのため、割当部１１２が、第２の通信を実行するためのチャネルの割当結果を端末装置２へ通知した後、レンジング処理部１１０および割当部１１２は、第１の通信を実行するためのチャネルの割当処理を再度実行する。その際、最初のＴＣＣＨ送信は省略され、レンジング処理部１１０が端末装置２へＩＲＣＨを送信する部分、あるいは割当部１１２が端末装置２へＳＣＣＨを送信する部分から、割当処理は開始される。割当処理の終了後、割当部１１２は、第１の通信を実行するためのチャネルの割当結果を端末装置２へ通知する。その後、無線部１０１、送信部１０２、変調部１０３、受信部１０４、復調部１０５、ＩＦ部１０６は、通知したＴＣＨにおいて、端末装置２との第１の通信を実行する。
【００４９】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５０】
図１３は、端末装置２の構成を示す。端末装置２は、無線部１５０、送信部１５２、変調部１５４、受信部１５６、復調部１５８、ＩＦ部１６０、制御部１６２を含む。制御部１６２は、要求部１６４、受付部１６６を含む。
【００５１】
ＩＦ部１６０は、マイク、スピーカ、キーボード、ディスプレイによって構成されており、ユーザからの情報を受けつけたり、ユーザへ情報を提示したりする。また、ＩＦ部１６０は、図示しないＰＣと接続されており、ＰＣとの間で情報を送受信してもよい。例えば、音声通話の際には、マイクとスピーカが使用され、データ通信の際には、キーボードとディスプレイが使用される。
【００５２】
無線部１５０、送信部１５２、変調部１５４、受信部１５６、復調部１５８は、無線部１０１、送信部１０２、変調部１０３、受信部１０４、復調部１０５にそれぞれ相当するので、ここでは説明を省略する。なお、無線部１５０等によって、基地局装置１との通信が実現される。その際、前述した基地局装置１での無線リソース割当に対応するような処理、つまり割当処理が実行される。割当処理は、以下のように説明される。要求部１６４は、基地局装置１へ、第１の通信を実行するためのチャネルの割当を要求する。つまり、要求部１６４は、変調部１５４、送信部１５２、無線部１５０を介して、基地局装置１へＴＣＣＨを送信する。制御部１６２は、基地局装置１との間で、前述の割当処理に対応した処理を実行する。受付部１６６は、要求部１６４における要求に応じて、基地局装置１において実行されたチャネルの割当結果であって、かつ第１の通信を実行するためのチャネルの割当結果を基地局装置１から受けつける。無線部１５０、送信部１５２、変調部１５４、受信部１５６、復調部１５８、ＩＦ部１６０は、受付部１６６において受けつけたＴＣＨの指定にしたがって、基地局装置１との第１の通信を実行する。
【００５３】
一方、前述のごとく、基地局装置１は、第１の通信を実行するためのチャネルの割当処理の実行中に、第２の通信の発生を検出することがある。その場合、受付部１６６は、基地局装置１から、第１の通信を実行するためのチャネルの割当結果の代わりに、第２の通信を実行するためのチャネルの割当結果を受けつける。また、無線部１５０、送信部１５２、変調部１５４、受信部１５６、復調部１５８、ＩＦ部１６０は、受付部１６６において受けつけたＴＣＨの指定にしたがって、基地局装置１との第２の通信を実行する。なお、前述のごとく、第２の通信の開始後、基地局装置１から、第１の通信に関する割当処理の再開を通知されると、制御部１６２は、通知にしたがって対応した処理を実行する。ここで、再開の通知は、ＳＣＣＨ等によって通知される。
【００５４】
以上の構成による通信システム２０の動作を説明する。図１４は、通信システム２０におけるＴＣＨ同期確立手順を示すシーケンス図である。なお、ここでは説明を明瞭にするために、ＴＣＣＨの送信は１回とする。また、ここでは、信号の名称にあわせて、チャネルの名称をかっこ書きで示す。端末装置２は、基地局装置１へＬＣＨ割当要求（ＴＣＣＨ）を送信する（Ｓ１０）。基地局装置１は、端末装置２へＬＣＨ割当応答（ＩＲＣＨ）を送信する（Ｓ１２）。端末装置２は、基地局装置１へ回線設定要求（ＳＣＣＨ）を送信する（Ｓ１４）。基地局装置１は、端末装置２へ回線設定応答（ＳＣＣＨ）を送信する（Ｓ１６）。
【００５５】
端末装置２は、基地局装置１へ拡張機能要求（ＳＣＣＨ）を送信する（Ｓ１８）。基地局装置１は、端末装置２へ拡張機能応答（ＳＣＣＨ）を送信する（Ｓ２０）。端末装置２は、基地局装置１へ接続要求（ＳＣＣＨ）を送信する（Ｓ２２）。基地局装置１は、端末装置２へ第１認証情報（ＳＣＣＨ）を送信する（Ｓ２４）。端末装置２は、基地局装置１へ第２認証情報（ＳＣＣＨ）を送信する（Ｓ２６）。基地局装置１は、端末装置２へ暗号鍵提示（ＳＣＣＨ）を送信する（Ｓ２８）。基地局装置１は、端末装置２へ接続応答（ＳＣＣＨ）を送信する（Ｓ３０）。端末装置２と基地局装置１とは、通信（ＴＣＨ）を実行する（Ｓ３２）。
【００５６】
図１５は、基地局装置１における通信手順を示すフローチャートである。レンジング処理部１１０は、割当処理を開始する（Ｓ５０）。検出部１２０において優先度の高い通信の接続要求がなく（Ｓ５２のＮ）、割当処理が終了しなければ（Ｓ５４のＮ）、ステップ５２に戻る。一方、割当処理が終了すれば（Ｓ５４のＹ）、割当部１１２は、割当処理を実行した通信に対して接続応答を送信する（Ｓ５６）。検出部１２０において優先度の高い通信の接続要求があれば（Ｓ５２のＹ）、割当部１１２は、優先度の高い通信に対して接続応答を送信する（Ｓ５８）。その後、無線部１０１からＩＦ部１０６は、通信を実行する（Ｓ６０）。接続応答を送信していない通信があれば（Ｓ６２のＹ）、ステップ５２に戻る。接続応答を送信していない通信がなければ（Ｓ６２のＮ）、処理は終了される。
【００５７】
図１６は、端末装置２における通信手順を示すフローチャートである。要求部１６４は、割当要求を送信する（Ｓ１００）。制御部１６２は、割当処理を実行する（Ｓ１０２）。受付部１６６は、接続応答を受信する（Ｓ１０４）。接続応答が割当処理を実行した通信に対応すれば（Ｓ１０６のＹ）、無線部１５０からＩＦ部１６０は、割当処理に対応した通信を実行する（Ｓ１０８）。一方、接続応答が割当処理を実行した通信に対応しなければ（Ｓ１０６のＮ）、無線部１５０からＩＦ部１６０は、新たな通信を実行する（Ｓ１１０）。割当処理がなされていない通信があれば（Ｓ１１２のＹ）、ステップ１０２に戻る。割当処理がなされていない通信がなければ（Ｓ１１２のＮ）、処理は終了される。
【００５８】
本発明の実施例によれば、第１の通信に対する割当処理の実行中に、第１の通信よりも優先度の高い第２の通信が発生すると、第１の通信に対する割当結果を、第２の通信に対する割当結果に変更するので、直ちに第２の通信を開始できる。また、直ちに第２の通信が開始されるので、複数の通信が重複して起動されるときに、重要度を考慮できる。また、第１の通信に対する割当処理の実行中に、第２の通信が発生しても、第１の通信に対する割当処理を続行するので、処理期間が長くなることを抑制できる。また、接続結果のみをすりかえるので、処理を簡易にできる。また、第２の通信を実行するためのチャネルの割当結果に変更した旨を割当結果とともに通知するので、第２の通信を正確に実行できる。また、第２の通信に対する割当結果を通知した後、第１の通信に対する割当処理を再度実行するので、第１の通信も実行できる。
【００５９】
以上、実施例をもとに本発明を説明した。この実施例は例示であり、それらの各構成要素や各処理プロセスの組合せにいろいろな変形例が可能なこと、またそうした変形例も本発明の範囲にあることは当業者に理解されるところである。
【００６０】
本発明の実施例において、通信システム２０は、通信の種類ごとに優先度を規定する。しかしながらこれに限らず例えば、通信システム２０は、通信の種類にかかわらず、発信および着信に対して優先度を規定してもよい。つまり、発信に対する優先度よりも、着信に対する優先度を高くしてもよい。本変形例によれば、基地局装置１における処理を簡易にできる。
【００６１】
本発明の実施例において、ＴＣＣＨは、波形パターンとして複数種類規定されており、端末装置２がそのうちのいずれかを選択している。つまり、発信や着信にかかわらず、いずれかのＴＣＣＨが選択される。しかしながらこれに限らず例えば、通信のＱｏＳや発着信に応じて、使用可能なＴＣＣＨを規定してもよい。発着信に応じて使用可能なＴＣＣＨを規定する場合、全波形パターン数がＮであれば、発信用のＴＣＣＨ数がｘであり、着信用のＴＣＣＨ数がＮ−ｘである。本変形例によれば、発信用のＴＣＣＨと着信用のＴＣＣＨ間での衝突を回避できる。
【００６２】
本発明の実施例において、端末装置２は、所定のタイムスロットにおいて、発着信に関係なくＴＣＣＨを送信している。しかしながらこれに限らず例えば、通信のＱｏＳや発着信に応じて、ＴＣＣＨを送信可能なタイムスロットを規定してもよい。例えば、基地局装置１は、ＰＣＨの中に、着信に対してＴＣＣＨを送信可能なタイムスロットを指定する。ＰＣＨにて着信がなされた端末装置２は、指定されたタイムスロットにおいてＴＣＣＨを送信する。しかしながら、発信を要求する端末装置２は、当該タイムスロットにおいてＴＣＣＨを送信できない。本変形例によれば、発信用のＴＣＣＨと着信用のＴＣＣＨ間での衝突を回避できる。
【図面の簡単な説明】
【００６３】
【図１】本発明の実施例に係る通信システムの構成を示す図である。
【図２】図１の通信システムにおけるＴＤＭＡフレームの構成を示す図である。
【図３】図１の通信システムにおけるＯＦＤＭＡサブチャネルの構成を示す図である。
【図４】図１の通信システムにおけるサブチャネルブロックの構成を示す図である。
【図５】図１の通信システムにおける論理制御チャネルの構成を示す図である。
【図６】図１の基地局装置の構成を示す図である。
【図７】図６の基地局装置から送信されるＢＣＣＨのメッセージフォーマットを示す図である。
【図８】図６の基地局装置から送信されるＰＣＨのメッセージフォーマットを示す図である。
【図９】図９（ａ）−（ｂ）は、図６の基地局装置による段階的な初期レンジングのタイムチャートを示す図である。
【図１０】図６の基地局装置から送信されるＩＲＣＨのメッセージフォーマットを示す図である。
【図１１】図６の基地局装置から送信されるＲＣＨのメッセージフォーマットを示す図である。
【図１２】図６の基地局装置から送信されるＳＣＣＨのメッセージフォーマットを示す図である。
【図１３】図１の端末装置の構成を示す図である。
【図１４】図１の通信システムにおけるＴＣＨ同期確立手順を示すシーケンス図である。
【図１５】図６の基地局装置における通信手順を示すフローチャートである。
【図１６】図１３の端末装置における通信手順を示すフローチャートである。
【符号の説明】
【００６４】
１  基地局装置、  ２  端末装置、  ２０  通信システム、  ５０  ネットワーク、  ５２  制御局、  １００  アンテナ、  １０１  無線部、  １０２  送信部、  １０３  変調部、  １０４  受信部、  １０５  復調部、  １０６  ＩＦ部、  １０７  制御部、  １１０  レンジング処理部、  １１２  割当部、  １２０  検出部、  １５０  無線部、  １５２  送信部、  １５４  変調部、  １５６  受信部、  １５８  復調部、  １６０  ＩＦ部、  １６２  制御部、  １６４  要求部、  １６６  受付部。
【図１】
2009207000.tif 000003
【図２】
2009207000.tif 000004
【図３】
2009207000.tif 000005
【図４】
2009207000.tif 000006
【図５】
2009207000.tif 000007
【図６】
2009207000.tif 000008
【図７】
2009207000.tif 000009
【図８】
2009207000.tif 000010
【図９】
2009207000.tif 000011
【図１０】
2009207000.tif 000012
【図１１】
2009207000.tif 000013
【図１２】
2009207000.tif 000014
【図１３】
2009207000.tif 000015
【図１４】
2009207000.tif 000016
【図１５】
2009207000.tif 000017
【図１６】
2009207000.tif 000018